(57)【特許請求の範囲】
【請求項１】
物品が収容される容器と、
前記容器の底面から所定の高さに窓孔を支持する枠部材と、
前記窓孔を覆って前記枠部材に展張保持され、前記容器に収容される物品が載置される延伸フィルムと、
前記延伸フィルムと前記底面との間にて少なくとも前記枠部材の角部に対向する領域に配設された緩衝部材とを有し、
前記緩衝部材は、前記窓孔の高さと同等の高さを具備し、その両端部が前記容器の内側面に当接した複数の棒状部材が交差した形状である物品保持容器。
【発明の詳細な説明】
【技術分野】
【０００１】
本発明は、物品を収容保持する物品保持容器に関する。
【背景技術】
【０００２】
従来、大きな振動や衝撃が加わることが好ましくない物品を搬送する場合、段ボール箱等の容器に物品を収容するとともに物品と容器の内壁との間に緩衝材を詰め込み、それにより、外部から衝撃が加わった場合でも物品には大きな衝撃が加わることを回避することが行われている。また、近年では、容器に収容された物品を２枚の延伸フィルムで挟み込み、延伸フィルムの伸縮性を利用して、物品に大きな衝撃が加わることを回避することも行われている（例えば、特許文献１参照）。
【０００３】
図７は、２枚の延伸フィルムで物品を挟み込んで収容保持する従来の物品保持容器の一例を示す図であり、（ａ）は蓋部が開いた状態の外観斜視図、（ｂ）は（ａ）に示したＡ−Ａ’断面図である。
【０００４】
図７に示すように、本例における物品保持容器２０１は、蓋部２１１と容器本体部２１２とからなる容器２１０内に、枠部材２２０に延伸フィルム２３０が貼り付けられてなる保持部材２０２が収容されて構成されている。
【０００５】
枠部材２２０は、脚部２２２を有しており、脚部２２２が容器本体部２１２の底面２１４上に起立するように配設されることで、窓孔２２１が底面２１４から脚部２２２の長さ分の高さに支持されている。延伸フィルム２３０は伸縮性を有するものであって、窓孔２２１を覆って枠部材２２０に展張保持されている。
【０００６】
蓋部２１１と容器本体部２１２とは、１つの辺にて連接しており、この辺を中心として蓋部２１１が開閉自在となっている。蓋部２１１の容器本体部２１２との連接辺とは反対側の辺にはフラップ部２１３が連接している。
【０００７】
図８は、図７に示した物品保持容器２０１を用いた物品の収容保持方法を説明するための図であり、図７（ｂ）に示したものと同じ部分の断面を示す。
【０００８】
図７に示した物品保持容器２０１に物品を収容保持する場合は、図８に示すように、保持部材２０２の延伸フィルム２３０上に、収容保持する物品２０４を載置し、さらに、保持部材２０２と同様に枠部材２５０に延伸フィルム２６０が貼り付けられてなる保持部材２０５を、保持部材２０２とは上下反対の向きで物品２０４上に載置する。それにより、物品２０４が２枚の延伸フィルム２３０，２６０によって挟み込まれた状態となり、この状態で上部から所定の圧力を加えることで、物品２０４を挟み込んだ２枚の延伸フィルム２３０，２６０が物品２０４の形状に沿って伸びて変形し、その復元力によって物品２０４が保持されることになる。
【先行技術文献】
【特許文献】
【０００９】
【特許文献１】登録実用新案公報第３０６３３８３号
【発明の概要】
【発明が解決しようとする課題】
【００１０】
図７に示した物品保持容器２０１に物品を収容保持する場合は、図８に示したように、物品２０４が２枚の延伸フィルム２３０，２６０によって挟み込まれた状態で上部から所定の圧力を加えることにより、物品２０４を挟み込んだ２枚の延伸フィルム２３０，２６０が物品２０４の形状に沿って伸びて変形することとなる。そのため、物品２０４の形状や、物品２０４を保持する際に加える圧力によっては、延伸フィルムに大きな負荷がかかり、延伸フィルムが破断してしまう虞れがある。
【００１１】
本発明は、上述したような従来の技術が有する問題点に鑑みてなされたものであって、展張された延伸フィルムを伸張させて変形させることで物品を収容保持する構成において、延伸フィルムにかかる負担を低減することができる物品保持容器を提供することを目的とする。
【課題を解決するための手段】
【００１２】
上記目的を達成するために本発明は、
物品が収容される容器と、
前記容器の底面から所定の高さに窓孔を支持する枠部材と、
前記窓孔を覆って前記枠部材に展張保持され、前記容器に収容される物品が載置される延伸フィルムと、
前記延伸フィルムと前記底面との間にて少なくとも前記枠部材の角部に対向する領域に配設された緩衝部材とを有し、
前記緩衝部材は、前記窓孔の高さと同等の高さを具備し、その両端部が前記容器の内側面に当接した複数の棒状部材が交差した形状である。
【００１３】
上記のように構成された本発明においては、枠部材の窓孔を覆って枠部材に展張保持された延伸フィルム上に、容器内に収容される物品が載置された状態で上方から物品に圧力が加えられる。枠部材は、窓孔を容器の底面から所定の高さに支持しているため、上方から物品に加えられた圧力によって、延伸フィルムが窓孔に対向する領域にて伸びて変形し、延伸フィルムの復元力によって物品が保持されることになる。容器内に収容された物品が上記のように保持されることで、容器に振動や衝撃が加わった場合においても、物品に大きな衝撃が加わることが回避される。この際、物品の形状や、上方から加えられる圧力の大きさによっては、延伸フィルムが大きく変形し、延伸フィルムが破断してしまう虞れが生じるが、延伸フィルムと容器の底面との間には緩衝部材が配設されているので、延伸フィルムが緩衝部材に当接することで延伸フィルムが、枠部材のみならず緩衝部材によっても支えられることとなり、延伸フィルムが大きく変形することが抑制され、延伸フィルムにかかる負荷が小さくなり、延伸フィルムが破断しにくくなる。
【００１４】
また、枠部材においては、延伸フィルムに上記のように負荷がかかった場合、延伸フィルムが容器の底面側に引っ張られることによって特にその角部に大きな力が加わり、それにより、枠部材の角部に亀裂が生じてしまう虞れがあるが、緩衝部材が少なくとも枠部材の角部に対向する領域に配設されていることで、延伸フィルムに上記のように負荷がかかったとしても、枠部材の角部においては、その下方が緩衝部材によって支えられ、亀裂が生じにくくなる。
【００１５】
また、緩衝部材を、その両端部が容器の内側面に当接した複数の棒状部材が交差した形状であることで、緩衝部材が容器内にて固定されることとなり、緩衝部材が容器内で不用意に移動してしまうことがなくなる。
【発明の効果】
【００１６】
本発明においては、枠部材の窓孔を覆って枠部材に展張保持された延伸フィルム上に、容器内に収容される物品が載置された状態で上方から物品に圧力が加えられることで、延伸フィルムが窓孔に対向する領域にて伸びて変形して物品が保持されることになる構成において、延伸フィルムと容器の底面との間に緩衝部材が配設されていることにより、物品の形状や上方から加えられる圧力の大きさによって延伸フィルムが大きく変形することが抑制され、延伸フィルムにかかる負担を低減することができる。
【００１７】
また、緩衝部材が、少なくとも枠部材の角部に対向する領域に配設されていることにより、延伸フィルムに負荷がかかった場合に、その負荷によって枠部材の角部に亀裂を生じにくくすることができる。
【００１８】
また、緩衝部材が、その両端部が容器の内側面に当接した複数の棒状部材が交差した形状であることにより、緩衝部材が容器内にて固定されることとなり、緩衝部材が容器内で不用意に移動してしまうことを回避することができる。
【図面の簡単な説明】
【００１９】
【図１】本発明の物品保持容器の第１の実施の形態を示す図であり、（ａ）は蓋部が開いた状態の外観斜視図、（ｂ）は（ａ）に示したＡ−Ａ’断面図である。
【図２】図１に示した保持部材の詳細な構成を示す図であり、（ａ）は上面図、（ｂ）は（ａ）に示したＡ−Ａ’断面図である。
【図３】図１に示した緩衝部材の容器への収容状態を示す図であり、（ａ）は緩衝部材と容器本体の底面との位置関係を示す図、（ｂ）は容器内に枠部材を収容した状態における上面図である。
【図４】図１に示した物品保持容器を用いた物品の収容保持方法及びその作用を説明するための図である。
【図５】本発明の物品保持容器の第２の実施の形態を示す図であり、（ａ）は蓋部が開いた状態の外観斜視図、（ｂ）は（ａ）に示したＡ−Ａ’断面図である。
【図６】図５に示した緩衝部材の容器への収容状態を示す図であり、（ａ）は緩衝部材と容器本体の底面との位置関係を示す図、（ｂ）は容器内に枠部材を収容した状態における上面図である。
【図７】２枚の延伸フィルムで物品を挟み込んで収容保持する従来の物品保持容器の一例を示す図であり、（ａ）は蓋部が開いた状態の外観斜視図、（ｂ）は（ａ）に示したＡ−Ａ’断面図である。
【図８】図７に示した物品保持容器を用いた物品の収容保持方法を説明するための図であり、図７（ｂ）に示したものと同じ部分の断面を示す。
【発明を実施するための形態】
【００２０】
以下に、本発明の実施の形態について図面を参照して説明する。
【００２１】
（第１の実施の形態）
図１は、本発明の物品保持容器の第１の実施の形態を示す図であり、（ａ）は蓋部が開いた状態の外観斜視図、（ｂ）は（ａ）に示したＡ−Ａ’断面図である。図２は、図１に示した保持部材２の詳細な構成を示す図であり、（ａ）は上面図、（ｂ）は（ａ）に示したＡ−Ａ’断面図である。図３は、図１に示した緩衝部材４０の容器１０への収容状態を示す図であり、（ａ）は緩衝部材４０と容器本体１２の底面１４との位置関係を示す図、（ｂ）は容器１０内に枠部材２０を収容した状態における上面図である。
【００２２】
図１に示すように、本形態における物品保持容器１は、容器１０と、容器１０内に収容された保持部材２とから構成されている。
【００２３】
容器１０は、段ボール等の材料から構成され、蓋部１１と、物品が収容保持される収容部３を有する容器本体部１２とからなり、容器本体１２の底面１４が四角形の直方体となっている。蓋部１１と容器本体部１２とは、１つの辺にて連接しており、この辺を中心として蓋部１１が開閉自在となっている。蓋部１１の容器本体部１２との連接辺とは反対側の辺にはフラップ部１３が連接しており、フラップ部１３には、容器本体１２に対向する側の面に２つの面ファスナー１６が取り付けられている。また、容器本体部１２においても、その側面のうち、蓋部１１が閉じられた場合に２つの面ファスナー１６に対向する領域にそれぞれ面ファスナー１５が取り付けられている。
【００２４】
保持部材２は図２に示すように、窓孔２１を有する枠部材２０の一方の面に接着剤等（不図示）によって延伸フィルム３０が貼り付けられて構成されている。枠部材２０は、その周縁部が折り曲げられることにより脚部２２を有しており、図１（ｂ）に示すように、脚部２２が容器本体部１２の底面１４上に起立するように配設されることで、窓孔２１が底面１４から脚部２２の長さ分の所定の高さに支持されている。延伸フィルム３０は、ウレタンフィルムからなる伸縮性を有するものであって、窓孔２１を覆って枠部材２０に展張保持されている。
【００２５】
緩衝部材４０は、例えば発泡ポリエチレンからなり、２つの棒状部材となる緩衝棒４１，４２が互いに交差した形状となっている。この２つの緩衝棒４１，４２は図１（ｂ）に示すように、その高さが保持部材２の脚部２２の高さとほぼ同等となっており、図３に示すように、両端部が容器本体部１２の内側面の角部近傍に当接し、底面１４の対角を結ぶように配置されている。このように構成された緩衝部材４０は、容器本体部１２の底面１４上に配設されている。それにより、緩衝部材４０は、延伸フィルム３０と容器本体部１２の底面１４との間に配設されている。
【００２６】
以下に、上記のように構成された物品保持容器１を用いた物品の収容保持方法及びその際の作用について説明する。
【００２７】
図４は、図１に示した物品保持容器１を用いた物品の収容保持方法及びその作用を説明するための図であり、図１（ｂ）に示したものと同じ部分の断面を示す。
【００２８】
図１に示した物品保持容器１に物品を収容保持する場合は、図４に示すように、保持部材２の延伸フィルム３０上に、物品保持容器１に収容保持する物品４を載置し、さらに、保持部材２と同様に枠部材５０に延伸フィルム６０が貼り付けられてなる保持部材５を、保持部材２とは上下反対の向きで物品４上に載置する。それにより、物品４が２枚の延伸フィルム３０，６０によって挟み込まれた状態となる。
【００２９】
この状態で上部から所定の圧力を加えると、物品４を挟み込んだ２枚の延伸フィルム３０，６０が物品４の形状に沿って伸びて変形し、その復元力によって物品４が保持されることになる。
【００３０】
その際、物品４の形状や、上方から加えられる圧力の大きさによっては、延伸フィルム３０，６０が大きく変形することになるが、延伸フィルム３０と容器本体部１２の底面１４との間に緩衝部材４０が配設されているので、物品４の形状に沿って変形した延伸フィルム３０が緩衝部材４０に当接し、延伸フィルム３０の緩衝部材４０に当接した部分においては、それ以上変形することが規制されることになる。そして、延伸フィルム３０が、枠部材２０のみならず緩衝部材４０によっても支えられることとなり、大きく変形することが抑制され、物品４の形状や上方から加えられる圧力の大きさがいかなる場合であっても、延伸フィルム３０に大きな負荷がかかることがなくなり、延伸フィルム３０を破断しにくくすることができる。
【００３１】
また、枠部材２０においては、延伸フィルム３０に上記のように負荷がかかった場合、延伸フィルム３０が容器１０の底面１４側に引っ張られることによって、特にその角部に大きな力が加わることになる。そして、その力が大きくなると、枠部材２０の角部がその力に耐えきれなくなって亀裂が生じてしまう虞れがあり、その場合、枠部材２０の角部においては、延伸フィルム３０が容器１０の底面１４から所定の高さに展張保持された状態ではなくなり、延伸フィルム３０の復元力による物品４の保持力が低減してしまうことになる。
【００３２】
ところが、本形態においては、緩衝部材４０を構成する２つの緩衝棒４１，４２が、底面１４の対角を結ぶように配置されていることで枠部材２０の角部に対向する領域に配設されていることから、枠部材２０の角部においては、延伸フィルム３０に上記のように負荷がかかることで容器１０の底面１４側に向かって大きな力が加わったとしても、その下方が緩衝棒４１，４２によって支えられており、亀裂を生じにくくすることができる。
【００３３】
このようにして収容部３に収容された物品４が保持部材２，５によって保持された後、蓋部１１を閉じて、容器本体部１２に取り付けられた面ファスナー１５と、フラップ部１３に取り付けられた面ファスナー１６とを嵌合させ、蓋部１１が閉じられた状態が維持されることになる。そして、容器１内に収容された物品４が、上記のように延伸フィルム３０，６０の復元力によって保持されることで、容器１に振動や衝撃が加わった場合においても、物品４に大きな衝撃が加わることが回避されることになる。
【００３４】
また、緩衝部材４０を構成する２つの緩衝棒４１，４２が、その両端部が容器本体部１２の内側面の角部近傍に当接し、底面１４の対角を結ぶように配置されていることにより、緩衝部材４０が容器１内の角部にて固定されることとなり、緩衝部材４０が容器１内で不用意に移動してしまうことがなくなる。
【００３５】
（第２の実施の形態）
図５は、本発明の物品保持容器の第２の実施の形態を示す図であり、（ａ）は蓋部が開いた状態の外観斜視図、（ｂ）は（ａ）に示したＡ−Ａ’断面図である。図６は、図５に示した緩衝部材１４０の容器１１０への収容状態を示す図であり、（ａ）は緩衝部材１４０と容器本体１１２の底面１１４との位置関係を示す図、（ｂ）は容器１１０内に枠部材１２０を収容した状態における上面図である。
【００３６】
図５及び図６に示すように、本形態における物品保持容器１０１は、第１の実施の形態にて示したものに対して、緩衝部材１４０の形状のみが異なるものである。
【００３７】
本形態における緩衝部材１４０は、３つの棒状部材となる緩衝棒１４１〜１４３が井桁状に組み合わされて構成されており、それぞれの両端部が、容器本体部１１２の内側面に当接している。
【００３８】
本形態における物品保持容器１０１においても、第１の実施の形態に示したものと同様に、保持部材１０２の延伸フィルム１３０上に、物品保持容器１０１に収容保持する物品を載置し、さらに、保持部材１０２と同様に枠部材に延伸フィルムが貼り付けられてなる保持部材を、保持部材２とは上下反対の向きで物品上に載置することで、物品を２枚の延伸フィルムによって挟み込み、その状態で上部から所定の圧力を加えることにより、延伸フィルムが変形し、その復元力によって物品を保持することになる。
【００３９】
その際、延伸フィルム１３０と容器本体部１１２の底面１１４との間に緩衝部材１４０が配設されているので、物品の形状に沿って変形した延伸フィルム１３０が緩衝部材１４０に当接し、延伸フィルム１３０の緩衝部材１４０に当接した部分においては、それ以上変形することが規制されることになる。そして、延伸フィルム１３０が、枠部材１２０のみならず緩衝部材１４０によっても支えられることとなり、大きく変形することが抑制され、物品の形状や上方から加えられる圧力の大きさがいかなる場合であっても、延伸フィルム１３０に大きな負荷がかかることがなくなり、延伸フィルム１３０を破断しにくくすることができる。
【００４０】
また、緩衝部材１４０を構成する３つの緩衝棒１４１〜１４３が井桁状に組み合わされて構成されており、それぞれの両端部が、容器本体部１１２の内側面に当接していることにより、緩衝部材１４０が容器１０１内で不用意に移動してしまうことがなくなる。
【００４１】
なお、上述した２つの実施の形態においては、緩衝部材４０，１４０の高さが、保持部材２，１０２の脚部２２，１２２の高さと同等のものとなっているが、その高さは脚部２２，１２２の高さ以下であればよい。ただし、第１の実施の形態に示したもののように、枠部材２０の角部に対向する領域に緩衝棒４１，４２が配設される構成においては、上述したように枠部材２０に亀裂が生じにくくするためには、枠部材２０と緩衝部材４０との間に大きな隙間が生じることは好ましくなく、保持部材２の脚部２２の高さと同等であることが好ましい。また、その他の領域においても、緩衝部材４０，１４０の高さが脚部２２，１２２の高さに対してあまりにも低い場合は、延伸フィルム３０，１３０が大きく変形することを抑制できなくなるため、緩衝部材４０，１４０と脚部２２，１２２との高さの差は、一定以下とすることが好ましい。
【００４２】
また、緩衝部材の形状においても、上述した２つの実施の形態に示したものに限らない。ただし、枠部材の角部に対向する領域においては、延伸フィルムが変形した場合に上述したように枠部材に亀裂が生じやすいため、少なくとも、枠部材の角部に対向する領域には緩衝部材を配設しておくことが好ましい。
【００４３】
また、上述した２つの実施の形態においては、枠部材２０，１２０が、その周縁部が折り曲げられることにより脚部２２，１２２を有し、この脚部２２，１２２が容器本体部１２，１１２の底面１４，１１４上に起立するように配設されることで、窓孔２１，１２１が底面１４，１１４から脚部２２，１２２の長さ分の所定の高さに支持されているが、窓孔２１，１２１を容器本体部１２，１１２の底面１４，１１４から所定の高さに支持する構成はこのようなものに限らない。
【００４４】
また、容器１０，１１０の形状についても、上述した２つの実施の形態にて示したもののような底面１４，１１４が四角形の直方体に限らず、底面が多角形の多角柱の形状等であってもよい。
【符号の説明】
【００４５】
１，１０１    物品保持容器
２，５，１０２    保持部材
３    収容部
４    物品
１０，１１０    容器
１１，１１１    蓋部
１２，１１２    容器本体部
１３，１１３    フラップ部
１４，１１４    底面
１５，１６，１１５，１１６    面ファスナー
２０，５０，１２０    枠部材
２１，１２１    窓孔
２２，１２２    脚部
３０，６０，１３０    延伸フィルム
４０，１４０    緩衝部材
４１，４２，１４１〜１４３    緩衝棒
【図１】
0006594097.tif 000002
【図２】
0006594097.tif 000003
【図３】
0006594097.tif 000004
【図４】
0006594097.tif 000005
【図５】
0006594097.tif 000006
【図６】
0006594097.tif 000007
【図７】
0006594097.tif 000008
【図８】
0006594097.tif 000009